(57)【要約】【課題】水回りの壁や床等を構築するのに最適な耐水性下地材を提供すること。【解決手段】耐水性が有り吸水性のない有機系発泡板１４と、耐水性の有る仕上材接着用下地板１５を耐水性の有る接着剤１６で接合したこと。【効果】有機系発泡板１４と耐水性の有る下地板１５を耐水性の有る接着剤１６で接合して一体化してあるので、全体として断熱性や耐水性に優れていると共に、全体の肉厚を厚くすることで下地板単体に比べて曲げ剛性を大きくできる。また、全体の肉厚を厚くしても有機系発泡板１４を用いているため、下地板単体で形成した場合に比べ全体の重量を著しく増大させることもない。更に、下地板１５の表面にタイル等の仕上材１３を接着できると共に、全体の肉厚を厚くすることで、施工時に自立させることも可能となる。【選択図】図２
2005213840.tif 000002
【特許請求の範囲】
【請求項１】
耐水性が有り吸水性のない有機系発泡板と、耐水性の有る仕上材接着用下地板を耐水性の有る接着剤で接合したことを特徴とする耐水性複合板。
【請求項２】
前記仕上材接着用下地板に複数枚の無機質の仕上板を接着剤のみで接合した請求項１記載の耐水性複合板。
【請求項３】
水回り空間を構築するための内装用である請求項１又は２記載の耐水性複合板。
【発明の詳細な説明】
【技術分野】
【０００１】
本発明は、水回り空間の壁や床等を構築する耐水性複合板に関するものである。
【背景技術】
【０００２】
従来、耐水性の有る下地板としては、発泡ポリスチレン板（非特許文献１）等の有機系発泡板や、セメントボード（特許文献１）等の無機系板がある。
【非特許文献１】ＪＩＳ  Ａ  ９５１１
【特許文献１】特許第２６７３９２７号公報参
【発明の開示】
【発明が解決しようとする課題】
【０００３】
有機系発泡板は、優れた断熱性を有するものの局部的に荷重が加わったとき窪んだりして変形するため、局部荷重に弱い問題がある。また、無機系板は、軽量化のために肉厚を薄くすると曲げ剛性が小さくなり過ぎ、水回り空間の壁や床等を構築する耐水性下地材としの強度が不足す問題が生じ、逆に、肉厚を厚くすると重くなり、施工性が低下する問題が生じる。
【０００４】
そこで、本発明は、従来の前記問題に鑑み創案したものであって、局部荷重に強く且つ重量を増大させることなく全体の肉厚を厚くして、水回り空間の壁，床又は天井等を構築する耐水性下地材として最適な耐水性複合板の提供を目的とする。
【課題を解決するための手段】
【０００５】
水回り空間の壁や床等を構築するのに最適な耐水性下地材を得るために本発明が採用した手段は、耐水性が有り吸水性のない有機系発泡板と、耐水性の有る仕上材接着用下地板を耐水性の有る接着剤で接合したことを特徴とする耐水性複合板である。前記仕上材接着用下地板に複数枚の無機質の仕上板を接着剤のみで接合したものとすることもある。この耐水性複合板は、水回り空間の壁，床，天井等を構築するための内装用の面材とすることもある。ここで言う水回り空間とは、浴槽，洗面器，流し台，便器，洗濯機，給湯器又は温水器等の水を扱う設備品を備えた浴室，洗面室，調理室，トイレ室，洗濯室又は設備室等がある。
【発明の効果】
【０００６】
本発明に係る耐水性複合板は、有機系発泡板と耐水性の有る仕上材接着用下地板を耐水性の有る接着剤で接合して一体化してあるので、全体として断熱性や耐水性に優れていると共に、全体の肉厚を厚くすることで仕上材接着用下地板単体に比べて曲げ剛性を大きくできる。また、本発明に係る耐水性複合板は、全体の肉厚を厚くしても有機系発泡板を用いているため、仕上材接着用下地板単体で肉厚を厚くした場合に比べ全体の重量を著しく増大させることもない。更に、本発明に係る耐水性複合板は、仕上材接着用下地板の表面にタイル等の仕上材を接着できると共に、全体の肉厚を厚くすることで、施工時に自立させることも可能となる。
【発明を実施するための最良の形態】
【０００７】
本発明に係る耐水性複合板（以下、「本発明複合板」と言う。）を図面に示す実施形態に基づいて説明する。
図１乃至図３は本発明複合板を用いた浴室の実施の形態を示すものであり、図１は浴室及びその周辺を断面して示す平面図、図２は図１のＩＩ−ＩＩ線で断面して拡大した左側面図、図３は施工途中の防水パンを示す平面図である。
【０００８】
本実施の形態に係る浴室１は、図１に示す如く、後側の浴槽設置領域２と手前側の洗い場領域３が設けられ、左側の隣室４と手前側のデッキ５が隣接している。浴室１と左側の隣室４の間は、浴槽設置領域２側に設けた仕切壁６及び洗い場領域３側に設けた揺動式扉７で仕切られ、浴室１と手前側のデッキ５の間は、引き戸８で仕切られている。浴室１は、図２及び図３に示す如く、浴槽設置領域２の床面を形成するＦＲＰ（繊維強化プラスチック）製やステンレススチール製の浴槽設置用防水パン９と、洗い場領域３の床面を形成するＦＲＰ製やステンレススチール製の洗い場形成用防水パン１０を備え、図２に示す如く、浴槽設置用防水パン９に浴槽１１を載設すると共に、洗い場形成用防水パン１０の上面を本発明複合板１２及びタイル等の仕上板１３で仕上げてある。
【０００９】
本発明複合板１２は、図２に示す如く、耐水性が有り吸水性のない有機系発泡板１４と、耐水性の有る仕上材接着用下地板１５を耐水性の有る接着剤１６で接合したものである。有機系発泡板１４としては、発泡ポリスチレン板（スタイロホーム），発泡ポリプロピレン板又は発泡フェノール板の合成樹脂製発泡板等が選択される。仕上材接着用下地板１５は、セメント状心板の平面的に広がる両表面側に補強ガラス繊維のメッシュシートを埋め込んで、両表面側を補強したものてあって、板内に曲げ応力が発生して弾性変形したときに、透水の原因となる大きな亀裂が生じることはなく、透水の原因とならない微細なクラック（マイクロクラック）が発生するものや、繊維強化セメント板等が選択される。また、接着剤１６としては、湿気硬化型の変成シリコン系接着剤、エポキシ系接着剤、またはポリマーセメント系接着剤が選択される。本発明複合板１２は、有機系発泡板１４の厚みを１２〜３０ｍｍ（好ましくは、１８ｍｍ程度）とし、下地板１５の厚みを９〜２１ｍｍ（好ましくは、１２ｍｍ程度）とするこで、全体の厚みを自立可能な２１〜５１ｍｍ（好ましくは、３０ｍｍ程度）とすることができる。
【００１０】
前記仕上板１３は、磁器質タイル、せっき質タイル、陶器質タイル又は石板等の無機質の板材から選択され、本発明複合板１２の下地板１５に接着剤２２で接着される。仕上板１３は、多量の水がかかる床や壁面を形成するとき、非透水性のものを選択することもある。仕上板１３を接着する接着剤２２は、湿気硬化型の変成シリコン系接着剤、エポキシ系接着剤、アクリルエマルジョン系接着剤またはポリマーセメント系接着剤等が選択される。隣接する仕上板１３，１３の間には、目地間隙を形成して、目地材を充填することもある。仕上板１３は、下地板１５に対して、リブ等の係止部材を用いることなく、接着剤２２のみで接合し施工が簡単となるようにしてある。
【００１１】
前記洗い場形成用防水パン１０に載設した本発明複合板１２の固定は、本発明複合板１２の施工方法によって異なるが、両者の間を変成シリコン系又はエポキシ系等の接着剤で全面又は部分的に接合する場合や、防水パン１０の上面と本発明複合板１２の下面に形成した凹凸部を嵌合させると共に必要に応じて嵌合部等を接着で接合する場合がある。
【００１２】
前記洗い場領域３の床施工法としては、防水パン１０の上面に本発明複合板１２を載設して固定した後に、本発明複合板１２の上面に複数枚の仕上板１３を配列しつつ接着する場合と、本発明複合板１２の下地板１５に複数枚の仕上板１３を接着して仕上げ床パネルを工場等で予め製造しておき、施工現場で防水パン１０の上面に該仕上げ床パネルを載設して固定する場合とを選択できる。
【００１３】
前記洗い場領域３において、図１に示すように皿付きの排水具１７を配設する箇所は、防水パン１０の排水用凹部１０ａ（図３参照）に目皿付きの排水具１７を嵌入して固定すると共に、排水具１７の回りに本発明複合板１２及び仕上板１３を配設して仕上げられる。
【００１４】
前記洗い場形成用防水パン１０と浴槽設置用防水パン９の境界には、図２に示す如く、エプロン設置用の凹溝１８が設けられ、凹溝１８に下端を嵌入したエプロン１９を立設してある。エプロン１９は、前記本発明複合板１２の下地板１５にタイル等の仕上板１３を接着したものが用いられる。
【００１５】
図１に示す如く、前記洗い場形成用防水パン１０及び浴槽設置用防水パン９の右側縁部には、壁パネル２０，２０を立設すると共に、浴槽設置用防水パン９の後側縁部には、壁パネル２１を立設してある。両壁パネル２０，２１は、前記エプロン１９と同様に、本発明複合板１２の下地板１５にタイル等の仕上板１３を接着したものが用いられ、仕上板１３を浴室１の室内に面するようにしてある。
【００１６】
前記本発明複合板１２は、前記洗い場領域３に採用する以外に、図１に示す隣室４である脱衣室や洗面室等の水回り空間を形成する床、壁又は天井を構築するための内装用の面材として採用することも勿論可能である。例えば、隣室４の床に採用するときには、根太固定した木質合板等からなる下地板の上に本発明複合板１２を載設すると共に、本発明複合板１２の下地板１５の表面に配列したタイル等の仕上材１３を接着する。
【００１７】
前記本発明複合板１２は、有機系発泡板１４と耐水性の有る仕上材接着用下地板１５を耐水性の有る接着剤１６で接合して一体化してあるので、全体として断熱性や耐水性に優れていると共に、全体の肉厚を厚くすることで仕上材接着用下地板単体に比べて曲げ剛性を大きくできる。また、本発明複合板１２は、全体の肉厚を厚くしても有機系発泡板１４を用いているため、仕上材接着用下地板単体で肉厚を厚くした場合に比べ全体の重量を著しく増大させることもない。本発明複合板１２は、有機系発泡板１４を用いているので、保温性にも優れている。更に、本発明複合板１２は、仕上材接着用下地板１５の表面にタイル等の仕上材１３を接着できると共に、全体の肉厚を厚くすることで、エプロン１９や壁パネル２０，２１を施工時に自立させることも可能となる。
【００１８】
なお、本発明複合板１２を切断するときには、床に有機系発泡板１４をベタ置きし、丸鋸の切断厚みを調節して、下地板１５の全厚みと有機系発泡板１４の厚の一部を切断し、その後に、有機系発泡板１４をナイフ等で切断することで簡単且つ安全に切断作業ができる。
【図面の簡単な説明】
【００１９】
【図１】本発明複合板を用いた浴室の実施の形態を示すものであり、浴室及びその周辺を断面して示す平面図である。
【図２】図１のＩＩ−ＩＩ線で断面して拡大した左側面図である。
【図３】施工途中の防水パンを示す平面図である。
【符号の説明】
【００２０】
１４…有機系発泡板、１５…仕上材接着用下地板、１６…接着剤
【図１】
2005213840.tif 000003
【図２】
2005213840.tif 000004
【図３】
2005213840.tif 000005